(57)【要約】【課題】従来、プレイリストにどのような曲があるかは、ユーザがプレイリストの内容を確認する手間が必要であった。また、再生中のプレイリストから異なるプレイリストへの切り替えを行うときもユーザが切り替える手間が必要であった。【解決手段】本発明では再生中の楽曲データが登録されているプレイリスト一覧を検索・表示し（Ｓ３０１）、再生装置が自発的に、あるいはユーザからの操作を受けて、検索したプレイリストの切り替え移動処理を行う（Ｓ３０２）。これによって、再生中の楽曲データに関連するプレイリストの切り替えが容易となり、ユーザの手間を軽減することができる。【選択図】図６
2007066370.tif 000002
【特許請求の範囲】
【請求項１】
コンテンツのプレイリストを管理するプレイリスト管理部と、コンテンツのデジタルデータを取得するデータ管理部と、管理された前記プレイリストから任意のプレイリストを選択する操作部と、前記操作部で選択されたプレイリストに基づき前記データ管理部で取得されたデジタルデータを出力する出力部と、前記デジタルデータの再生を制御する制御部とを備える再生装置。
【請求項２】
前記操作部は、プレイリストの切り替え条件を選択し、前記出力部は、前記切り替え条件により選択されたプレイリストに基づき前記データ管理部で取得されたデジタルデータを出力する請求項１記載の再生装置。
【請求項３】
前記制御部は、前記出力部で出力中のデジタルデータが登録されているプレイリストを前記操作部に表示する請求項１または２に記載の再生装置。
【請求項４】
前記制御部は、前記操作部で異なるプレイリストが選択された際に、選択されたプレイリストに切り替えて再生を制御する請求項１ないし３のいずれかに記載の再生装置。
【請求項５】
前記プレイリスト管理部が管理するプレイリストは、デジタルデータの実体への参照をリストしたファイルである請求項１または２に記載の再生装置。
【請求項６】
前記プレイリスト管理部が管理するプレイリストは、ディレクトリに含まれるファイルのリストである請求項１または２に記載の再生装置。
【請求項７】
前記コンテンツは、記録装置に記録される請求項１または２に記載の再生装置。
【請求項８】
前記記憶装置との通信部を備える請求項７記載の再生装置。
【請求項９】
ネットワークを介してサーバとの通信を行なう通信部を備え、前記コンテンツは前記サーバに記録される請求項１または２記載の再生装置。
【請求項１０】
前記切り替え条件は、選択中のプレイリストにおいて一定数のデジタルデータが再生されたことを条件とする請求請２記載の再生装置。
【請求項１１】
前記切り替え条件は、選択中のプレイリストにおいてデジタルデータの再生時間が一定時間に達したことを条件とする請求請２記載の再生装置。
【請求項１２】
前記データ取得部は、デジタルデータのメタデータを取得する手段を備える請求項２記載の再生装置。
【請求項１３】
前記制御部は、前記操作部で選択された切り替え条件に前記メタデータを用いて前記出力部でのデジタルデータの出力を制御する請求項１２記載の再生装置。
【請求項１４】
前記切り替え条件は、デジタルデータの再生において、そのメタデータが同一の値を一定数とったことを条件とする請求請１３記載の再生装置。
【請求項１５】
コンテンツのプレイリストを管理するプレイリスト管理ステップと、コンテンツのデジタルデータを取得するデータ管理ステップと、管理された前記プレイリストから任意のプレイリストを選択する操作ステップと、前記操作ステップで選択されたプレイリストに基づき前記データ管理ステップで取得されたデジタルデータを出力する出力ステップを備える再生方法。
【請求項１６】
前記操作ステップは、プレイリストの切り替え条件を選択し、前記出力ステップは、前記切り替え条件により選択されたプレイリストに基づき前記データ管理ステップで取得されたデジタルデータを出力する請求項１５記載の再生方法。
【請求項１７】
前記出力ステップで出力中のデジタルデータが登録されているプレイリストを表示する表示ステップを備える請求項１５または１６に記載の再生方法。
【請求項１８】
前記操作ステップで異なるプレイリストが選択された際に、選択されたプレイリストに切り替えて再生を制御する請求項１５ないし１７のいずれかに記載の再生方法。
【請求項１９】
前記プレイリスト管理ステップが管理するプレイリストは、デジタルデータの実体への参照をリストしたファイルである請求項１５または１６に記載の再生方法。
【請求項２０】
前記プレイリスト管理ステップが管理するプレイリストは、ディレクトリに含まれるファイルのリストである請求項１５または１６に記載の再生方法。
【請求項２１】
前記コンテンツは、記録装置に記録される請求項１５または１６に記載の再生方法。
【請求項２２】
前記記憶装置との通信を行う通信ステップを備える請求項２１記載の再生方法。
【請求項２３】
ネットワークを介してサーバとの通信を行なう通信ステップを備え、前記コンテンツは前記サーバに記録される請求項１５または１６記載の再生方法。
【請求項２４】
前記切り替え条件は、選択中のプレイリストにおいて一定数のデジタルデータが再生されたことを条件とする請求請１６記載の再生方法。
【請求項２５】
前記切り替え条件は、選択中のプレイリストにおいてデジタルデータの再生時間が一定時間に達したことを条件とする請求請１６記載の再生方法。
【請求項２６】
前記データ取得ステップは、デジタルデータのメタデータを取得するステップを備える請求項１６記載の再生方法。
【請求項２７】
前記操作ステップで選択された切り替え条件に前記メタデータを用いて前記出力ステップでのデジタルデータの出力を制御する請求項２６記載の再生方法。
【請求項２８】
前記切り替え条件は、デジタルデータの再生において、そのメタデータが同一の値を一定数とったことを条件とする請求請２６記載の再生方法。
【発明の詳細な説明】
【技術分野】
【０００１】
本発明は、プレイリストを利用して記録媒体に記録されたデジタルデータを再生する再生装置および再生方法に関する。
【背景技術】
【０００２】
従来、記録媒体に記録された楽曲や映像などのデジタルデータを再生する場合、その再生順序はデジタルデータとは別に作成されるデジタルデータの再生順序を定義したプレイリストや、ファイルシステムを通して取得される特定ディレクトリ以下のファイル一覧を元にして決定していた。
【特許文献１】特開２０００−５７７５３号公報
【発明の開示】
【発明が解決しようとする課題】
【０００３】
ユーザがプレイリストを複数作成することによって、１つのデジタルデータに対して複数の再生順序を設定できうる。このようにして、ユーザがプレイリストを切り替えてデジタルデータの再生順序を変更することは既に実現されている。
【０００４】
しかし、プレイリストの切り替え作業において、ユーザが現在視聴中のデジタルデータが、切り替えようとしているプレイリストにおいて再生対象であるかは、そのプレイリストの内容をユーザが手作業で確認する必要があった。このような課題は、プレイリストを用いる場合だけではなく、特定ディレクトリ以下のファイル一覧を元に再生順序を決定する場合にも同様に発生する。
【０００５】
本発明はかかる点を鑑み、ユーザの手間を解消し、また新たなデジタルデータの視聴スタイルをユーザに提供することを目的とする。
【課題を解決するための手段】
【０００６】
上記課題を解決するために本発明の再生装置は、コンテンツのプレイリストを管理するプレイリスト管理部と、コンテンツのデジタルデータを取得するデータ管理部と、管理された前記プレイリストから任意のプレイリストを選択する操作部と、前記操作部で選択されたプレイリストに基づき前記データ管理部で取得されたデジタルデータを出力する出力部と、前記デジタルデータの再生を制御する制御部とを備える。更に、前記操作部は、プレイリストの切り替え条件を選択し、前記出力部は、前記切り替え条件により選択されたプレイリストに基づき前記データ管理部で取得されたデジタルデータを出力する。
【０００７】
更に本発明は、操作部は、プレイリストの切り替え条件を選択し、出力部は、切り替え条件により選択されたプレイリストに基づきデータ管理部で取得されたデジタルデータを出力する。また、制御部は、出力部で出力中のデジタルデータが登録されているプレイリストを操作部に表示する。また、制御部は、操作部で異なるプレイリストが選択された際に、選択されたプレイリストに切り替えて再生を制御する。また、プレイリスト管理部が管理するプレイリストは、デジタルデータの実体への参照をリストしたファイルである。また、プレイリスト管理部が管理するプレイリストは、ディレクトリに含まれるファイルのリストである。また、コンテンツは、記録装置に記録される。また、記憶装置との通信部を備える。また、ネットワークを介してサーバとの通信を行なう通信部を備え、コンテンツは前記サーバに記録される。また、切り替え条件は、選択中のプレイリストにおいて一定数のデジタルデータが再生されたことを条件とする。また、切り替え条件は、選択中のプレイリストにおいてデジタルデータの再生時間が一定時間に達したことを条件とする。また、データ取得部は、デジタルデータのメタデータを取得する手段を備える。また、制御部は、操作部で選択された切り替え条件にメタデータを用いて出力部でのデジタルデータの出力を制御する。また、切り替え条件は、デジタルデータの再生において、そのメタデータが同一の値を一定数とったことを条件とする。
【発明の効果】
【０００８】
本発明は、プレイリストの切り替えを行うにあたり、あるデジタルデータがプレイリストにおいて、再生対象となっているかをデジタルデータごとに照合し、再生非対象の場合にはプレイリストの候補から外すことで、ユーザのプレイリストの選択にかかる手間を解消することができる。
【０００９】
また、再生装置に設定された条件をもとに、再生中のデジタルデータが再生対象となっている別のプレイリストへの切り替えを行うことで、切り替えにかかるユーザの手間を解消するとともに、例えば、同じアーティストでまとめたプレイリストから同じジャンルでまとめたプレイリストへ切り替えるなど、ユーザに新たな視聴スタイルを提供することができる。
【発明を実施するための最良の形態】
【００１０】
以下、本発明の実施の形態による再生装置および再生方法について図面を参照しながら説明する。
【００１１】
（実施の形態１）
本実施の形態においては、デジタルデータとして楽曲データを用いて説明するが、楽曲データに限るものではない。
【００１２】
図１は、本発明の実施の形態１による再生装置の構成を示すブロック図である。
【００１３】
図１において、再生装置は記憶装置１０６を内蔵し、楽曲データおよびプレイリストは記憶装置１０６に記録されている。また、１０１は制御部、１０２はプレイリスト管理部、１０３はデータ管理部、１０４は操作部、１０５が出力部であり、以下に詳細を述べる。
【００１４】
制御部１０１は、プレイリスト管理部１０２からのプレイリスト情報の取得、データ管理部１０３でのデジタルデータ取得制御、操作部１０４で選択されたプレイリストに従った再生制御、出力部１０５への出力制御を行う。プレイリスト管理部１０２は、記憶装置１０６からプレイリストを取得し、コンテンツである楽曲データの再生順次が記載されているプレイリストを管理する。プレイリスト管理部１０２は、プレイリスト一覧を、例えば、図７のように管理済みのプレイリストをファイル名やタグなどで管理する。
【００１５】
データ管理部１０３は、コンテンツである楽曲データのデジタルデータを管理する。データ管理部１０３は、制御部１０１からの制御に従い記憶装置１０６から楽曲データを取得する。
【００１６】
操作部１０４は、プレイリスト管理部１０２で管理されているプレイリストがユーザに提示し、選択するためのインターフェイスを備える。出力部１０５は、データ管理部１０３で取得されたデジタルデータを制御部１０１の制御に従い出力する。
【００１７】
図４は、本実施の形態による再生装置におけるプレイリスト取得の方法を示すフローチャートである。
【００１８】
まず、制御部１０１は、記録媒体１０６に記録されているプレイリストを取得し、プレイリスト管理部１０２でプレイリストの一覧を作成するプレイリスト取得処理を開始する。
【００１９】
ステップＳ１０１において、プレイリスト管理部１０２はプレイリスト一覧をクリアする。ステップＳ１０２で、プレイリスト管理部１０２は記憶装置１０６からプレイリストを取得し、プレイリスト一覧と比較を行う。ステップＳ１０２の比較において、プレイリスト一覧にないプレイリストを取得したら、ステップＳ１０３でプレイリスト一覧に追加する更新を行ない、ステップＳ１０２に戻る。
【００２０】
ステップＳ１０２において、記憶装置１０６から全てのプレイリストを取得し、一覧にないプレイリストがなくなったとき、プレイリスト取得処理を終了する。
【００２１】
図５は、本実施の形態による再生装置におけるプレイリスト切り替えの方法を示すフローチャートである。
【００２２】
まず、ステップＳ２０１において、制御部１０１はプレイリスト管理部１０２が管理するプレイリスト一覧のうち、後述する方法により表示対象となったプレイリストを操作部１０４に表示する。ステップＳ２０２において、ユーザは、操作部１０４に表示されたプレイリスト一覧から１つを選択する。ステップＳ２０３において、操作部１０４で選択されたプレイリストを制御部１０１に伝え、プレイリスト切り替え処理が終了する。
【００２３】
図６は、本実施の形態による再生装置における再生制御の動作を示すフローチャートである。
【００２４】
まず、ステップS３０１で、図４を用いて示したプレイリスト取得処理を実行することにより、プレイリストを取得する。次に、ステップＳ３０２として、図５を用いて示したプレイリスト切り替え処理を実行することにより、プレイリストを選択する。
【００２５】
次に、ステップＳ３０３において、制御部１０１はステップＳ３０２により選択されたプレイリストから、再生可能な楽曲データのエントリがあるかを判断する。ここで「再生可能」の意味は、リピート再生、ランダム再生、全曲再生など一般に用いられている再生モードにおいて、未再生のデータである、との意味である。
【００２６】
ステップＳ３０３において再生可能な楽曲データのエントリがあったときステップＳ３０４に進み、制御部１０１はデータ管理部１０３を通して楽曲データの取得を行う。ステップＳ３０５で、取得した楽曲データは出力部１０５から出力される。また、制御部１０１は楽曲データが再生済みであることを管理する。
【００２７】
プレイリストに再生可能な楽曲データのエントリがある間は、上述のステップＳ３０３からＳ３０５の処理を繰り返し、エントリがなくなったとき再生制御は終了する。
【００２８】
図８は、プレイリスト切り替え処理のステップＳ２０１における操作部１０４でのプレイリスト一覧の表示の表示例である。
【００２９】
図８において、８０１には現在再生中の楽曲データのタイトルなどの情報が表示され、８０２には８０１に表示されている楽曲データが登録されているプレイリストの一覧が表示される。操作部１０５は、ユーザがカーソル８０３でプレイリストを選択したのを受けて制御部１０１にプレイリスト切り替え要求を行う。
【００３０】
図９は図８を用いて説明したプレイリスト表示例において、図５のステップＳ２０１での表示のために表示対象となるプレイリストを検索するフローチャートである。
【００３１】
図９において、ステップＳ４０１として、制御部１０１はプレイリスト管理部１０２よりプレイリスト一覧を取得する。次にステップＳ４０２で、制御部１０１は図６を用いて説明した再生制御処理により、現在再生中の楽曲データを把握している。
【００３２】
制御部１０１はＳ４０１で取得したプレイリストの中にＳ４０２で取得した楽曲データが含まれているかを、取得した全てのプレイリストの中から検索するために、未検索のプレイリストがあるかをチェックする（Ｓ４０３）。未検索のプレイリストがあったとき、そのプレイリスト中に現在再生中の楽曲データが含まれているかチェックする（Ｓ４０４）。
【００３３】
ステップＳ４０４で現在再生中の楽曲データが含まれていたとき、制御部１０１はプレイリスト一覧の中で操作部１０４への表示対象であることを記憶する（Ｓ４０５）。
【００３４】
図１０はその記憶方法の一例を示す概念図であり、例えば、プレイリスト一覧に表示用のフラグを立てるなどを行う。
【００３５】
制御部１０１は、表示対象であることを記憶した後、あるいはプレイリスト中に現在再生中の楽曲データが含まれていなかったとき、処理はＳ４０３に戻り、全てのプレイリストをチェックしたのち、操作部１０４への表示を行う（Ｓ４０６）。
【００３６】
以上の各方法により、現在再生中の楽曲データが含まれるプレイリストが図９を用いて説明した検索方法により検索され操作部１０４に表示され、図５を用いて説明したプレイリスト切り替え方法により切り替えが制御部１０１に通知されたとき、制御部１０１は図６のＳ３０３での判断により、現在再生中の楽曲データが出力部１０５へ出力されたのち、次の楽曲データは新たに選択されたプレイリストの再生へと切り替わる。
【００３７】
なお、実施の形態１において、図１に示す再生装置が内蔵の記憶装置１０６を備えていたが、図２に示すように、外付けのメモリーカードなどの記憶装置２０６にプレイリストおよびデジタルデータを記憶し、記憶装置２０６とのインターフェイスを備える通信部２０７を備え、プレイリスト管理部１０２およびデータ管理部１０３は通信部２０７を介してプレイリストおよびデジタルデータを取得してもよい。
【００３８】
また、実施の形態１において、図１に示す再生装置が内蔵の記憶装置１０６を備えていたが、図３に示すように、ネットワークを介してサーバ３０６にプレイリストおよびデジタルデータを記憶し、サーバ３０６とのネットワーク通信を行う通信部３０７を備え、プレイリスト管理部１０２およびデータ管理部１０３は通信部３０７を介してプレイリストおよびデジタルデータを取得してもよい。
【００３９】
また、実施の形態１において、ユーザの操作を受け付ける操作部１０４が存在せず、制御部１０１において、特定の条件を満たしたときにプレイリストを切り替えてもよい。この特定の条件とは、選択中のプレイリストにおいて、一定数のデジタルデータが再生されたことを条件としたり、デジタルデータの再生時間が一定時間に達したことを条件としたりしてもよい。またこのときの特定の条件として、データ管理部１０３より楽曲データのＩＤ３タグなどのメタデータを取得し、特定ジャンルや同一アーティストの連続を一定数カウントしプレイリストの切り替え条件としてもよい。
【００４０】
また、実施の形態１においてプレイリスト管理部１０２は記憶装置１０６からプレイリストを取得しているが、記憶装置１０６内に記憶されているデジタルデータの一覧あるいは特定ディレクトリ以下あるいは直下のデジタルデータの一覧をファイルシステムなどから取得し、これをプレイリストの代替として用いてもよい。
【００４１】
なお、本実施の形態における再生装置は、少なくとも一部分をコンピュータにより実行可能なプログラムとして実施可能であり、また再生方法として実施可能であることは言うまでもない。
【産業上の利用可能性】
【００４２】
本発明の再生装置および再生方法は、プレイリストの切り替えを行う際に、あるデジタルデータに関連するプレイリストからの表示・選択が可能となり、ユーザの利便性が向上することができ、プレイリストを利用して記録媒体に記録されたデジタルデータを再生する種々の機器において有用である。
【図面の簡単な説明】
【００４３】
【図１】本発明の実施の形態１における再生装置の構成を示すブロック図
【図２】本発明の他の実施の形態における再生装置の構成を示すブロック図
【図３】本発明の他の実施の形態における再生装置の構成を示すブロック図
【図４】本発明の実施の形態１によるプレイリスト取得処理を示すフローチャート
【図５】同実施の形態１によるプレイリスト切り替え処理を示すフローチャート
【図６】同実施の形態１における再生制御処理を示すフローチャート
【図７】同実施の形態１によるプレイリスト一覧の管理例を示す概念図
【図８】同実施の形態１によるプレイリスト一覧の表示例を示す概念図
【図９】同実施の形態１によるプレイリスト表示処理を示すフローチャート
【図１０】同実施の形態１による表示するプレイリストの管理例を示す概念図
【符号の説明】
【００４４】
１０１    制御部
１０２    プレイリスト管理部
１０３    データ管理部
１０４    操作部
１０５    出力部
１０６、２０６    記憶装置
２０７、３０７    通信部
３０６    サーバ
【図１】
2007066370.tif 000003
【図２】
2007066370.tif 000004
【図３】
2007066370.tif 000005
【図４】
2007066370.tif 000006
【図５】
2007066370.tif 000007
【図６】
2007066370.tif 000008
【図７】
2007066370.tif 000009
【図８】
2007066370.tif 000010
【図９】
2007066370.tif 000011
【図１０】
2007066370.tif 000012